(57)【要約】【課題】コピー部数を誤って入力した場合に、他の設定値をデフォルト値に設定せずに、コピー部数の再設定を行うことができる原稿読取記録装置を提供する。【解決手段】コピージョブに対する設定値と所定のデフォルト値とを保持する記憶手段２，３と、設定値が変更されたときには変更後の設定値を保持させ、かつ、コピー部数が２部以上に設定されているときにリセット操作を受け付けると、コピー部数をデフォルト値に設定する制御手段１とを備えている。【選択図】図１
2008062557.tif 000002
【特許請求の範囲】
【請求項１】
実行前のコピージョブに対する設定を可能とした原稿読取記録装置において、
上記コピージョブに対する設定値と所定のデフォルト値とを保持する記憶手段と、
上記設定値が変更されたときには変更後の設定値を保持させ、かつ、
コピー部数が２部以上に設定されているときにリセット操作を受け付けると、上記コピー部数を上記デフォルト値に設定する制御手段とを備えている原稿読取記録装置。
【請求項２】
請求項１において、
上記制御手段は、リセット操作を受け付けて、コピー部数を上記デフォルト値に設定した後、リセット操作を更に受け付けたときには、上記コピージョブに対する設定値の全てをデフォルト値に設定することを特徴とする原稿読取記録装置。
【請求項３】
請求項１または２において、
上記制御手段は、上記コピージョブに対する設定に対する待機を開始してから所定時間が経過したときには、コピー部数を含めて、上記コピージョブに対する設定値の全てをデフォルト値に設定することを特徴とする原稿読取記録装置。
【発明の詳細な説明】
【技術分野】
【０００１】
本発明は、原稿読取記録装置の改良に関する。
【背景技術】
【０００２】
近時、特許文献１に示すような原稿読取記録装置が広く普及している。
【０００３】
この種の原稿読取記録装置は、コピージョブを選択的に実行できるようになっており、コピージョブに対する機能の設定が行えるようになっており、その状態で、コピー部数を設定した後、スタートキーを操作すれば、セットされた原稿の画像データを生成し、設定されたコピー部数だけコピーを行うようになっている。
【特許文献１】特開平９−３２６８９３号公報
【発明の開示】
【発明が解決しようとする課題】
【０００４】
ところで、この種の原稿読取記録装置では、コピージョブの設定値を設定した後、リセット操作をすれば、全ての設定値がデフォルト値に設定されるようになっている。
【０００５】
そのため、コピー部数のみを誤ったて設定し、再設定したい場合にリセット操作をすれば、コピー部数を含む全ての設定値がデフォルト値に設定されてしまうため、他の設定値を設定したことが無駄となってしまい、使い勝手の悪いものとなっていた。
【０００６】
そこで、本発明は、このような事情を考慮して提案され、コピー部数を誤って入力した場合に、他の設定値をデフォルト値に設定せずに、コピー部数の再設定を行うことができる原稿読取記録装置を提供することを目的とする。
【課題を解決するための手段】
【０００７】
上記目的を達成するために、本発明の請求項１では、コピージョブに対する設定値と所定のデフォルト値とを保持する記憶手段と、設定値が変更されたときには変更後の設定値を保持させ、かつ、コピー部数が２部以上に設定されているときにリセット操作を受け付けると、コピー部数をデフォルト値に設定する制御手段とを備えている。
【０００８】
請求項２では、制御手段は、リセット操作を受け付けて、コピー部数をデフォルト値に設定した後、リセット操作を更に受け付けたときには、コピージョブに対する設定値の全てをデフォルト値に設定することを特徴とする。
【０００９】
請求項３では、制御手段は、コピージョブに対する設定に対する待機を開始してから所定時間が経過したときには、コピー部数を含めて、コピージョブに対する設定値の全てをデフォルト値に設定することを特徴とする。
【発明の効果】
【００１０】
請求項１によれば、コピー部数が２部以上に設定されているときにリセット操作を受け付けると、コピー部数をデフォルト値に設定するので、コピー部数を誤って入力した場合に、他の設定値をデフォルト値に設定せずに、コピー部数の再設定を行うことができ、利便にできる。
【００１１】
請求項２では、制御手段は、リセット操作を受け付けて、コピー部数をデフォルト値に設定した後、リセット操作を更に受け付けたときには、設定値の全てをデフォルト値に設定するので、コピージョブに対する設定を開始してから、２回リセット操作をすることで、全ての設定値をデフォルト値に戻して、再度、各種の設定値の入力を行うことができる。
【００１２】
請求項３では、制御手段は、コピージョブに対する機能の設定に対する待機を開始してから所定時間が経過したときには、コピー部数を含めて、コピージョブに対する設定値をデフォルト値に設定するので、ユーザがコピージョブに対する設定を変更し、その後の操作を放置した場合に、設定値が元のデフォルト値に戻り、他のユーザが操作に戸惑うことがなくなる。
【発明を実施するための最良の形態】
【００１３】
以下に、本発明の実施の形態について説明する。
【００１４】
図１は、本発明の原稿読取記録装置の要部構成の一例を示すブロック図である。
【００１５】
この原稿読取記録装置は例えばコピー装置Ｃで構成することができ、コピー装置Ｃは、本発明の制御手段を構成し、以下の各部を制御するＣＰＵ１と、短縮ダイヤル番号などを記憶するＲＡＭ２と、このコピー装置Ｃが動作するのに必要な各種プログラムなどを記憶したＲＯＭ３と、表示部４と、操作部５と、画像データを印字出力するプリンタ６とを備えている。
【００１６】
なお、原稿読取記録装置の一例として、ここではコピー装置Ｃを例示しているが、本発明はこの例に限られず、コピージョブとファクシミリジョブとを兼ね備えた複合機で構成することもできる。
【００１７】
このコピー装置Ｃにおいて、ＲＡＭ２とＲＯＭ３とは、本発明の記憶手段を構成しており、ＲＡＭ２は、少なくとも、コピージョブに対する設定値を記憶するようにしており、例えば、用紙サイズサイズの設定値、コピー倍率の設定値、コピー部数の設定値が記憶される。
【００１８】
また、ＲＯＭ３は、少なくとも、コピージョブを行うために必要な制御プログラムと、コピージョブに対するデフォルト設定値が記憶されており、デフォルト設定値としては、例えば、用紙サイズ「Ａ４」、コピー倍率「１００％」、コピー部数「１部」といった設定値が記憶されている。
【００１９】
このような構成のファクシミリ装置Ｆでは、操作部８を操作して、コピージョブの開始を指示すると、設定値入力画面が表示され、この設定値入力画面において、用紙サイズ、コピー倍率、コピー部数などの設定値が入力されるとこれらの設定値がＲＡＭ２に記憶され、図示しないスタートキーを操作すれば、ＲＡＭ２に記憶された設定値に基づいてコピージョブが開始されるようになっている。
【００２０】
図２は、本発明の原稿読取記録装置の基本動作の一例を説明するフローチャートである（１００〜１０５）。
【００２１】
コピー装置Ｃは、設定値入力画面が表示された状態でリセット操作がされたときには、設定されているコピー部数が２部以上であるか否かを判別し、２部以上であれば、コピー部数に対応するデフォルト値（例えば「１」）をＲＯＭ３から読みだし、読み出したデフォルト値に基づいて、コピー部数をデフォルト値に設定する。
【００２２】
ついで、再度、リセット操作がされたときには、コピー部数を含む全ての設定値をデフォルト値をＲＯＭ３から読みだし、読み出したデフォルト値に基づいて、全ての設定値をデフォルト値に設定する。
【００２３】
例えば、デフォルト値として、用紙サイズ「Ａ４」、コピー倍率「１００％」、コピー部数「１」がＲＯＭ３に記憶されている場合には、これらのデフォルト値を、それぞれ、用紙サイズ、コピー倍率、コピー部数と設定する。
【００２４】
一方、設定値入力画面が表示されてから所定時間が経過したとき、または、コピー部数が２部以上に設定されていないときに、リセット操作がされたときには、コピージョブに対する全ての設定値をデフォルト値に設定する。
【００２５】
図３は、本発明の原稿読取記録装置のコピージョブに対する設定値入力画面の遷移を説明する図である。
【００２６】
設定値入力画面４では、用紙サイズサイズ、コピー倍率、コピー部数が表示されており、これらの設定値は、操作部８の操作キー８Ａの操作により行うようにしている。図３（ａ）では、用紙サイズサイズ「Ｂ５」、コピー倍率「５０％」、コピー倍率「２部」が設定されている。
【００２７】
ついで、このような状態でリセット操作がされたときには、コピー部数のみがデフォルト値（例えば「１」）に設定される（図３（ｂ）参照）。そして、リセット操作がこの状態で再度行われた場合には、コピー部数を含んだ全ての設定値（用紙サイズサイズ、コピー倍率、コピー部数）をデフォルト値（それぞれ、Ａ４、１００％、１部）に設定される。
【図面の簡単な説明】
【００２８】
【図１】本発明の原稿読取記録装置の要部構成の一例を示すブロック図
【図２】本発明の原稿読取記録装置の基本動作について説明するフローチャート
【図３】本発明の原稿読取記録装置のコピージョブに対する設定値入力画面の遷移を説明する図
【符号の説明】
【００２９】
Ｃ  コピー装置（原稿読取記録装置）
１  ＣＰＵ
４  ＲＡＭ
５  ＲＯＭ
【図１】
2008062557.tif 000003
【図２】
2008062557.tif 000004
【図３】
2008062557.tif 000005